(57)【特許請求の範囲】
【請求項１】
異なる色光を生成する複数の発光素子からなる光源部と、前記光源部から原稿画像に照射された光の反射光を検出する光センサと、前記原稿画像の読取りモードがカラーモードであるかモノクロモードであるかに応じて前記発光素子の全部または一部を駆動する発光素子駆動回路とを含む画像読取り部、および前記画像読取り部を制御する制御部を備えた画像読取り装置であって、前記制御部は、前記原稿画像の読取りモードがモノクロモードである場合は、前記原稿画像の読取りに先立ち、当該読取りに使用する発光素子が発生する光量が、読取りに適合した光量となるように、当該発光素子の点灯デューティの調整を行い、
前記発光素子のみの点灯では、前記原稿画像の読取りに必要な光量を得ることができないときは、当該モノクロモードでの読取りに使用していない他の発光素子を駆動して、前記原稿画像の読取りに必要な光量を補う、
ことを特徴とする画像読取り装置。
【請求項２】
前記制御部は、前記原稿画像の読取りモードがモノクロモードである場合は、前記発光素子および前記他の発光素子の点灯デューティの調整をそれぞれ行うことで、前記原稿画像の読取りに必要な光量を得ることを特徴とする画像読取り装置。
【請求項３】
前記制御部は、前記原稿画像の読取りモードがモノクロモードである場合は、前記光センサが読み取った白基準板の読取り値に基づき、前記発光素子の点灯デューティの調整および前記他の発光素子の点灯デューティの調整を行うことを特徴とする請求項１または２に記載の画像読取り装置。
【請求項４】
前記制御部は、前記原稿画像の読取りモードがモノクロモードである場合は、前記発光素子をカラーモードにおける電流値よりも小さい所定の電流値で駆動し、前記発光素子のみにより前記原稿画像の読取りに必要な光量を得ることができないときは、前記他の発光素子をカラーモードにおける電流値と同一電流値で駆動することを特徴とする請求項１から３の何れか１つに記載の画像読取り装置。
【請求項５】
前記制御部は、前記原稿画像の読取りモードがモノクロモードである場合は、前記一の発光素子の点灯デューティを最大１００％で調整し、前記一の発光素子のみにより前記原稿画像の読取りに必要な光量を得ることができないときは、前記一の発光素子の点灯デューティを１００％で駆動し、前記他の発光素子の点灯デューティをカラーモードにおける最大点灯デューティを超えない範囲で調整することを特徴とする請求項１から４の何れか１つに記載の画像読取り装置。
【請求項６】
前記光源部は、赤色、緑色および青色の光を生成する発光素子からなり、前記一の発光素子が緑色の発光素子であり、前記他の発光素子が赤色または青色の発光素子であることを特徴とする請求項１から５の何れか１つに記載の画像読取り装置。
【発明の詳細な説明】
【０００１】
【発明の属する技術分野】
本発明は、ＬＥＤ等の発光素子をカラー光源として含む光センサを備えたカラーファクシミリ装置、カラーイメージスキャナー、カラー複写機、これらの複合機等に使用される画像読取り装置に関し、詳しくは、モノクロ読取りに際して、当該読取りに使用している発光素子の光量が不足した場合であっても、読取りを続行することができる画像読取り装置に関する。
【０００２】
【従来の技術】
カラーファクシミリ装置、カラーイメージスキャナー、カラー複写機、これらの複合機等に使用されるカラー画像読取り装置では、通常、複数色のＬＥＤが生成する光を原稿に照射し、その反射光をライン状に配列した光センサにより受光して原稿画像を読み取る。この種の画像読取り装置では、通常、赤色（Ｒ），緑色（Ｇ），青色（Ｂ）の３色のＬＥＤからなる光源と、ライン状に配列したイメージセンサとを組み合わせて用い、各色ＬＥＤを所定の点灯デューティで順次切り換えて点灯させることでカラー画像の読取りを行っている。
【０００３】
このようなカラー画像読取り装置は、通常、モノクロモードを持つ。読取りがカラーモードの場合には、カラー画像読取り装置は赤色（Ｒ），緑色（Ｇ），青色（Ｂ）の３色を順次点灯して１ラインの読取りを行う。通常は、各ＬＥＤの１ラインあたりの最大点灯デューティを１／３（３３％）に設定し、電流値をそれぞれ点灯デューティ３３％時の順電流最大定格に設定する。
【０００４】
モノクロモードでは、緑色ＬＥＤのみを、点灯デューティ１００％、またはそれ以下の点灯デューティで駆動して、原稿画像の読取りを行う。このときの緑色ＬＥＤの駆動電流値は、点灯デューティ１００％で駆動しても順電流最大定格（後述する図８の符号Ａ１参照）を超えないように、カラーモードでの駆動電流の値（図８の符号Ａ２参照）よりも低く設定される。
【０００５】
図９（Ａ）にカラーモードでの赤色，緑色，青色の各ＬＥＤの点灯動作を示し、図９（Ｂ）にモノクロモードでの緑色ＬＥＤの点灯動作を示す。図９（Ａ），（Ｂ）では、ラインスタート信号（読取りクロック）Ｓごとに、光センサが各ＬＥＤ光を検出し、ビデオ信号Ｖを出力する場合を示している。ここでは、読取りクロック３つ分が一ラインに相当する。
【０００６】
カラーモードでは、赤色、緑色、青色の各色ＬＥＤの駆動電流の値は、点灯デューティ３３％の場合に順電流最大定格を超えない値とされる。一方、モノクロモードでは、前述したように緑色ＬＥＤを、カラーモード時の電流値として点灯デューティ１００％で駆動すると、順電流最大定格を超えてしまう。このため、モノクロモードでは、デューティ１００％としても、順電流最大定格を超えないような電流値に設定される。
【０００７】
図１０に、従来のモノクロモードでの読取り時の動作を示すフローチャートである。なお、以下において、ＬＥＤの点灯している時間を表現するのに、「点灯デューティ」を用いずに「点灯時間」を用いる。「点灯時間」は、ＬＥＤに許される、（１周期あたりの点灯継続時間）／（１周期あたりの最大点灯継続時間）で定義される。
【０００８】
モノクロモードでの読取りを開始すると（Ｓ５０１）、緑色ＬＥＤの電流制限抵抗をモノクロモードにセットする（Ｓ５０２）。これにより、緑色ＬＥＤの駆動電流は、２０ｍＡにセットされる。そして、緑色ＬＥＤの点灯時間を１００％に設定して（Ｓ５０３）、緑色ＬＥＤを点灯させ（Ｓ５０４）、白圧板１３５の読取りを行う。つぎに、１ラインの明出力最大値Ｖｍａｘの測定を行う（Ｓ５０５）。このとき、Ｖｍａｘが、光センサの後段にも受けられたＡ／Ｄ変換器のダイナミックレンジを越えるか否かのチェックを行う（Ｓ５０６）。Ｖｍａｘが、Ａ／Ｄ変換器のダイナミックレンジを越えるときには、緑色ＬＥＤの点灯時間を１０％刻みで減少させ（Ｓ５０７）、Ｖｍａｘが、Ａ／Ｄ変換器のダイナミックレンジの８０％以上、１００％以下となるように、緑色ＬＥＤの調整を行う（Ｓ５０５〜Ｓ５０７）。Ｖｍａｘが上記８０％以上、１００％以下のレンジに収まったならば（Ｓ５０６の「ＹＥＳ」）、白基準板の緑色ＬＥＤによる暗出力データおよび、シェーディングデータの採取が行われ（Ｓ５１０，Ｓ５１１）、この後原稿画像の読取りが行われ（Ｓ５１２）、処理は終了する（Ｓ５１３）。ステップＳ５０８において、Ｖｍａｘが８０％に達しないときは（Ｓ５０８の「ＮＯ」）、ＬＥＤ調整エラーを所定の外部装置に通知し（Ｓ５０９）、この後モノクロモードでの処理を終了する（Ｓ５１３）。
【０００９】
【発明が解決しようとする課題】
上述したように、従来の画像読取り装置では、モノクロモードでは、緑色ＬＥＤのみが駆動される。このため、緑色ＬＥＤの劣化の度合いが赤色ＬＥＤや青色ＬＥＤよりも大きくなる。特に、カラーファクシミリ装置に組み込まれた画像読取り装置では、カラーの送信原稿よりもモノクロの送信原稿が圧倒的に多いため（すなわち、モノクロモードで原稿の読取りが行われる場合が圧倒的に多いため）、緑色ＬＥＤの劣化が激しくなる。緑色ＬＥＤが劣化すると、たとえば読取り初期においては、読取りに必要な光量（１読取りラインあたりの光電蓄積量）を得ることができても、読取り途中においてＬＥＤの発光効率が低下し十分な光量を得ることができない場合が生じる。
【００１０】
たとえば、読取り初期において緑色ＬＥＤをデューティ８０％で駆動していた場合において、発光効率が低下し、読取りに必要な光量が得られなくなる場合が生じたものとする。このような場合、各原稿画像の読取り開始に先立って行われる白基準板の読取りに際し、点灯デューティの設定を大きくする（最大１００％にする）ことで、光量不足を解消することも可能である。
【００１１】
ところが、緑色ＬＥＤの劣化度合いが大きいため、当該緑色ＬＥＤを点灯デューティ１００％で駆動しても、なお読取りに必要な光量が得られないこともある。
【００１２】
本発明は、カラーモードとモノクロモードを持つ画像読取り装置において、モノクロモードでの原稿読取りに際して、当該読取りを行っている一の色発光素子の光量が低下し、所望の光量を得ることができない場合であっても、原稿の読取りを続行することができる画像読取り装置を提供することを目的とする。
【００１３】
【課題を解決するための手段】
本発明の画像読取り装置は、異なる色光を生成する複数の発光素子からなる光源部と、前記光源部から原稿画像に照射された光の反射光を検出する光センサと、前記原稿画像の読取りモードがカラーモードであるかモノクロモードであるかに応じて前記発光素子の全部または一部を駆動する発光素子駆動回路とを含む画像読取り部、および前記画像読取り部を制御する制御部を備えた画像読取り装置であって、前記制御部は、前記原稿画像の読取りモードがモノクロモードである場合は、前記原稿画像の読取りに先立ち、当該読取りに使用する発光素子が発生する光量が、読取りに適合した光量となるように、当該発光素子の点灯デューティの調整を行い、前記発光素子のみの点灯では、前記原稿画像の読取りに必要な光量を得ることができないときは、当該モノクロモードでの読取りに使用していない他の発光素子を駆動して、前記原稿画像の読取りに必要な光量を補うことを特徴とする。
【００１４】
本発明の画像読取り装置では、モノクロモードでは、通常、１つの発光素子により読取りを行い、当該発光素子による光量が不足したときに他の１つの発光素子により読取りを続行する。もちろん、モノクロモードで、たとえば２つの発光素子により読取りを行い、当該これら発光素子による光量が不足したときに他の１つまたは複数の発光素子により読取りを続行するようにもできる。
【００１５】
本発明においては、前記制御部は、前記原稿画像の読取りモードがモノクロモードである場合は、前記発光素子および前記他の発光素子の点灯デューティの調整をそれぞれ行うことで、前記原稿画像の読取りに必要な光量を得ることができる。
【００１６】
本発明の画像読取り装置では、前記制御部は、前記原稿画像の読取りモードがモノクロモードである場合は、前記光センサが読み取った白基準板の読取り値に基づき、前記発光素子の点灯デューティの調整および前記他の発光素子の点灯デューティの調整を行うことができる。
【００１７】
また、本発明の画像読取り装置では、前記制御部は、前記原稿画像の読取りモードがモノクロモードである場合は、前記発光素子をカラーモードにおける電流値よりも小さい所定の電流値で駆動し、前記発光素子のみにより前記原稿画像の読取りに必要な光量を得ることができないときは、前記他の発光素子をカラーモードにおける電流値と同一電流値で駆動することもできる。
【００１８】
さらに、本発明の画像読取り装置では、前記制御部は、前記原稿画像の読取りモードがモノクロモードである場合は、前記一の発光素子の点灯デューティを最大１００％で調整し、前記一の発光素子のみにより前記原稿画像の読取りに必要な光量を得ることができないときは、前記一の発光素子の点灯デューティを１００％で駆動し、前記他の発光素子の点灯デューティをカラーモードにおける最大点灯デューティを超えない範囲で調整することができる。
【００１９】
加えて、本発明の画像読取り装置では、前記光源部を、赤色、緑色および青色の光を生成する発光素子から構成し、前記一の発光素子を緑色の発光素子とし、前記他の発光素子を赤色または青色の発光素子とすることができる。また、本発明の画像読取り装置では、前記制御部は、前記原稿画像の読取りモードがモノクロモードである場合において、前記一の発光素子のみの点灯では、前記原稿画像の読取りに必要な光量を得ることができず、さらに前記一の発光素子および前記他の発光素子の点灯によっても前記原稿画像の読取りに必要な光量を得ることができないときは、読取りを終了し、エラーまたは警告を所定の表示装置または所定の外部装置に出力することができる。
【００２０】
【発明の実施の形態】
図１（Ａ）は、本発明の画像読取り装置をファクシミリ装置に応用した実施形態を示すシステム構成図である。図１（Ａ）においてファクシミリ装置１は、制御部１１と、メモリ１２と、画像読取り部（スキャナー部）１３と、記録部（印刷部）１４と、操作表示部１５と、通信制御部１６と、圧縮伸張部１７とを有し、これらはシステムバス１００を介して相互接続されている。
【００２１】
制御部１１は、装置全体を制御するもので、オペレーティングシステム、スキャナードライバ、プリントドライバ等の各種プログラムを実行することができ、またカラーモードまたはモノクロモードに応じた画像読取りを行うことができる。
【００２２】
メモリ１２は、本実施形態では、システムメモリ１２１（ＲＯＭ１２１１とＲＡＭ１２１２）と画情報メモリ１２２とからなり、ＲＯＭ１２１１には上述したオペレーティングシステム、各種ドライバのプログラム等が格納されている。また、ＲＡＭ１２１２はユーザ情報を記憶することができ、後述する明出力最大値等を一時記憶することもできる。また、画情報メモリ１２２には、通信制御部１６を介して受信した画像データ（ただし、圧縮伸張部１７により伸張されたデータ）、画像読取り部１３により読み取った画像データ等が蓄積される。
【００２３】
画像読取り部１３は、原稿画像をカラーまたはモノクロで読み取り、画像データに変換することができる（後述する図１（Ｂ）および図２参照）。記録部１４は、たとえば通信制御部１６を介して回線から受信した画像データにかかる画像を印刷出力すること、画像読取り部１３により読み取った画像を印刷出力することができる。操作表示部１５はユーザインタフェースであり、テンキーやスイッチや表示部等を持つ。通信制御部１６は、回線（電話回線、ＬＡＮ等）と接続され、他の機器（ファクシミリ装置、コンピュータ等）から圧縮画像データを受信し、他の機器に圧縮画像データを送信することができる。圧縮伸張部１７は、通信制御部１６を介して受信した画像データの伸張や、通信制御部１６を介して送信する画像データ（画像読取り部１３により読み取った、画情報メモリ１２２に格納された画像データ）の圧縮を行うことができる。
【００２４】
図１（Ｂ）は、図１（Ａ）の画像読取り部１３の機構部分を示す図である。給紙トレイ（図示省略）等にセットされた原稿２００は、給紙ローラ１３１により１枚ずつ搬送され、原稿先後端検知センサ１３２で原稿２００の先端部が検知され、原稿の位置確認がなされる。そして、まずライン状に蓄光素子が配列されてなるイメージセンサ１３３により白圧板１３５の読取りがなされる（図１（Ｂ）読取りラインを符号Ｌで示す）。白圧板１３５は、シェーディング補正データを取り込む際の白基準板として使用される。
【００２５】
読取りモードがカラーモードである場合には、白圧板１３５を読取ることで、赤色、緑色、青色の各色ＬＥＤの点灯デューティの調整を行った後、原稿画像の読み取りを行う。
【００２６】
また、読取りモードがモノクロモードである場合には、まず緑色ＬＥＤの点灯デューティの調整を行うが、読取りに必要な光量が得られない場合には、赤色ＬＥＤまたは青色ＬＥＤの何れか（ここでは、赤色ＬＥＤ）を点灯し、緑色ＬＥＤおよび赤色ＬＥＤにより読取りに必要な光量が得られるように、当該他のＬＥＤの点灯デューティの調整を行う。この調整後に、緑色ＬＥＤと赤色ＬＥＤを駆動して、読取りラインＬ上で原稿画像の読み取りを行い、排紙ローラ１３４により排紙する。
【００２７】
図２は、図１（Ａ）に示すシステムの画像読取り部１３の回路構成を示すブロック図である。図２において画像読取り部１３は、イメージセンサ１３３（図１（Ｂ）に示したものと同一）と駆動回路部１３６とからなる。駆動回路部１３６は、ＬＥＤ駆動回路１３６１と、切換えスイッチ１３６２と、Ａ／Ｄ変換器１３６３と、画像処理部１３６４と、１ライン最大値検出部１３６５と、ＬＥＤ電源１３６６と、電流制限抵抗Ｒ１〜Ｒ４とを有しており、Ｒ１は赤色ＬＥＤ（Ｒ−ＬＥＤ）、Ｒ２は緑色ＬＥＤ（Ｇ−ＬＥＤ）に接続され、電流制限抵抗Ｒ２とＲ３は切換えスイッチ１３６２により何れか一方が選択接続され、緑色ＬＥＤ（Ｇ−ＬＥＤ）に接続される。また、イメージセンサ１３３は、赤色ＬＥＤ（Ｒ−ＬＥＤ）、緑色ＬＥＤ（Ｇ−ＬＥＤ）および青色ＬＥＤ（Ｂ−ＬＥＤ）からなるカラー光源部１３３１と、センサ基板１３３２とを有している。
【００２８】
カラー光源部１３３１内の赤色，緑色，青色の各ＬＥＤ−Ｒ，ＬＥＤ−Ｇ，ＬＥＤ−Ｂは、ＬＥＤ駆動回路１３６１が生成する駆動信号に基づき駆動される。ＬＥＤ駆動回路部１３６１は、図１（Ａ）で説明したように、バス１００を介して制御部１１、メモリ１３に接続されている。本発明における制御部は、制御部１１と、ＲＯＭ１２１１に格納されたプログラムとにより実現されている。
【００２９】
センサ基板１３３２は受光光量に応じた光電変換を行い、画像信号（アナログ信号）をＡ／Ｄ変換器１３６３に出力する。Ａ／Ｄ変換器１３６３では、白圧板１３５を読取るときには、入力したアナログ画像信号をデジタル画像データに変換し、画像処理部１３６４または１ライン最大値検出部１３６５に出力する。
【００３０】
画像処理部１３６４では、白圧板１３５の読取りデータからシェーディング補正用データを生成し、たとえば図示しない所定のレジスタに格納する。また、１ライン最大値検出部１３６５は、カラーモードにおいては赤色，緑色，青色の各ＬＥＤ−Ｒ，ＬＥＤ−Ｇ，ＬＥＤ−Ｂについての１ライン読取りデータの最大値をＲＡＭ１２１２に送出し、モノクロモードにおいては緑色ＬＥＤ−Ｇについての１ライン読取りデータ、あるいはそれぞれ所定点灯デューティで同時点灯した緑色ＬＥＤ−Ｇおよび赤色ＬＥＤ−Ｒについての１ライン読取りデータの最大値を送出する。ＲＡＭ１２１２に一時格納された１ライン読取りデータの最大値は、制御部１１により参照され、カラーモード、モノクロモードにおける点灯デューティの調整が行われる。
【００３１】
以下、ファクシミリ装置１の動作を説明する。ファクシミリ装置１は、前述したように読取りモードとして、カラーモードとモノクロモードとを持つ。本実施形態では、カラーモードで読取り動作は、既存ファクシミリ装置と同様である。カラーモードでは、各色ＬＥＤは、プログラムエラーや回路故障等のイレギュラーな事態が発生しない限り、点灯デューティが３３％を超えることはない。したがって、たとえば点灯デューティが３３％よりも大きい場合の順電流最大定格を各色ＬＥＤの駆動電流値に設定しておけば、ＬＥＤの駆動電流が順電流最大定格を超えることはない。このことから、本実施形態では、カラーモードでは、赤色ＬＥＤの駆動電流を３０ｍＡ，緑色ＬＥＤおよび青色ＬＥＤの駆動電流を４０ｍＡに設定してある。
【００３２】
カラーモードでは、図３のフローチャートに示すように、読取り開始を開始すると（Ｓ４０１）、ＬＥＤ駆動回路１３６１により、スイッチ１３６２は接触端子がＲ２側となるようにセットされ、これにより緑色ＬＥＤの駆動電流は４０ｍＡにセットされる（Ｓ４０２）。つぎに、緑色ＬＥＤの点灯時間が１００％（すなわち、緑色ＬＥＤの点灯デューティが３３％）にセットされ（Ｓ４０３）、緑色ＬＥＤが点灯される（Ｓ４０４）。
【００３３】
そして、１ラインの明出力最大値ＶＧｍａｘが測定され（Ｓ４０５）、ＶＧｍａｘがＡ／Ｄ変換器１３６３のダイナミックレンジを越えてしまう場合には（Ｓ４０６）、点灯時間を所定％刻み（たとえば、１０％刻み）で減少して（Ｓ４０７）、ＶＧｍａｘがＡ／Ｄ変換器のダイナミックレンジの８０％以上、１００％以下となるように、Ｇ−ＬＥＤの調整が行われる（Ｓ４０５〜Ｓ４０７）。
【００３４】
最初から、緑色ＬＥＤを点灯時間１００％で駆動しても、ＶＧｍａｘが８０％に達しないときは（Ｓ４０８の「ＮＯ」）、ＬＥＤ調整エラーとし（Ｓ４０９）、カラーモードでの処理を終了する（Ｓ４２７）。
【００３５】
ＶＧｍａｘが、Ａ／Ｄ変換器１３６３のダイナミックレンジの８０％以上、１００％以下となるように調整されたときは（Ｓ４０８の「ＹＥＳ」）、赤色ＬＥＤについて上記と同様の処理を行う（Ｓ４０９〜Ｓ４１６）。さらに、ＶＲｍａｘが、Ａ／Ｄ変換器１３６３のダイナミックレンジの８０％以上、１００％以下となるように調整されたときは（Ｓ４０８の「ＹＥＳ」）、青色ＬＥＤについても上記と同様の処理を行う（Ｓ４１７〜Ｓ４２３）。ＶＢｍａｘが、Ａ／Ｄ変換器１３６３のダイナミックレンジの８０％以上、１００％以下となるように調整されたとき、すなわちＶＧｍａｘ、ＶＲｍａｘ、ＶＢｍａｘの全てが、Ａ／Ｄ変換器１３６３のダイナミックレンジの８０％以上１００％以下となるように調整されたときは、白基準板の各色ＬＥＤによる暗出力データおよび、シェーディングデータの採取を行い（Ｓ４２４，Ｓ４２５）、この後原稿画像の読取りを行い（Ｓ４２６）、カラー読取り処理を終了する（Ｓ４２７）。
【００３６】
モノクロモードでは、緑色ＬＥＤの光量が不足し、光センサが読取りに十分な光量を得ることができない場合には、以下に示すように、１ラインの読取りに際して、緑色ＬＥＤを点灯するとともに、赤色ＬＥＤを点灯が行われる。
【００３７】
図４のフローチャートにより、図２の画像読取り装置１によるモノクロモードでの読取り時の動作を説明する。なお、図５に、モノクロモードでの緑色ＬＥＤおよび赤色ＬＥＤの点灯動作を示す。
【００３８】
制御部１１は、モノクロモードでの読取りを開始すると（Ｓ１０１）、ＬＥＤ駆動回路１３６１に、モノクロモードにおける設定を行わせる。モノクロモードでは、ＬＥＤ駆動回路１３６１は、スイッチ１３６２に制御信号を送出し、緑色ＬＥＤの電流制限抵抗をＲ３側にセットする（Ｓ１０２）。これにより、緑色ＬＥＤの駆動電流は、２０ｍＡにセットされる。
【００３９】
そして、ＬＥＤ駆動回路１３６１は、緑色ＬＥＤの点灯時間を１００％、赤色ＬＥＤの点灯時間を０％に設定して（Ｓ１０３）、緑色ＬＥＤのみを点灯させ（Ｓ１０４）、白圧板１３５の読取りを行う。
【００４０】
この読取りデータは、Ａ／Ｄ変換器１３６３を介して、画像処理部１３６４に送られるとともに、１ライン最大値検出部１３６５により、１ラインの明出力最大値Ｖｍａｘの測定を行う（Ｓ１０５）。このとき、Ｖｍａｘが、Ａ／Ｄ変換器１３６３のダイナミックレンジを越えるか否かのチェックを行う（Ｓ１０６）。
【００４１】
Ｖｍａｘが、Ａ／Ｄ変換器１３６３のダイナミックレンジを越えるときには、緑色ＬＥＤの点灯デューティを所定％刻み（ここでは、１０％刻み）で減少させ（Ｓ１０７）、Ｖｍａｘが、Ａ／Ｄ変換器のダイナミックレンジの８０％以上、１００％以下となるように、緑色ＬＥＤの調整を行う（Ｓ１０５〜Ｓ１０７）。
【００４２】
Ｖｍａｘが上記８０％以上、１００％以下のレンジに収まったならば（Ｓ１０６の「ＹＥＳ」）、ステップＳ１０８の処理を実行する。ステップＳ１０８では、Ｖｍａｘが８０％以上か否かが判断されるが、ここでは、Ｖｍａｘの初期条件がＡ／Ｄ変換器１３６３のダイナミックレンジを超える場合であるので（Ｓ１０８の「ＮＯ」）、処理はステップＳ１１４〜Ｓ１１７の処理に移行する。すなわち、まず、白圧板１３５の緑色ＬＥＤによる暗出力データおよび、シェーディングデータの採取が行われ（Ｓ１１４，Ｓ１１５）、この後原稿画像の読取りが行われる（Ｓ１１６）。
【００４３】
ステップＳ１０６において、最初から緑色ＬＥＤを点灯時間１００％で駆動しても、ＶｍａｘがＡ／Ｄ変換器１３６３のダイナミックレンジの最大値を超えないときは（Ｓ１０６の「ＹＥＳ」）、Ｖｍａｘがダイナミックレンジの８０％を越えているか否かをチェックし８０％を超えているときは（Ｓ１０８の「ＹＥＳ」）、ステップＳ１１４，Ｓ１１５の暗出力データおよびシェーディングデータの採取、およびＳ１１６の原稿画像の読取りが行われ、この後処理は終了する（Ｓ１１７）。
【００４４】
一方、緑色ＬＥＤの点灯時間を１００％にセットしても、Ｖｍａｘが８０％に達しないときは（Ｓ１０８の「ＮＯ」）、点灯デューティを所定％刻み（たとえば、５％刻み）で増化させながら、１ラインの明出力最大値ＶｍａｘがＡ／Ｄ変換器１３６３のダイナミックレンジの８０％以上になるように調整する（ステップＳ１０９〜Ｓ１１２）。すなわち、赤色ＬＥＤの点灯時間が３０％以下か否かをチェックする（Ｓ１０９）。赤色ＬＥＤの点灯時間が３０％以下の場合には、赤色ＬＥＤを、所定時間（ここでは、点灯時間の５％）増加して（Ｓ１１０）、読取りクロックを１周期として当該点灯時間で緑色ＬＥＤと同時に点灯する（Ｓ１１１）。そして、１ラインの明出力最大値Ｖｍａｘの測定を行う（Ｓ１１２）。
【００４５】
赤色ＬＥＤは駆動電流が３０Ａに設定されており、点灯時間（あるいは点灯デューティ）は３３％を超えてはならない。このことから、点灯時間３０％で駆動してもＶｍａｘが８０％に達しないとき（すなわち、ここでの例では点灯時間が３５％に設定されたとき）は（Ｓ１０９の「ＮＯ」）、ＬＥＤ調整エラーを通信制御部１６を介して所定の外部装置に通知し（Ｓ１１３）、この後モノクロモードでの処理を終了する（Ｓ１１７）。
【００４６】
図６は、図２の画像読取り装置１において、モノクロモードでの読取りに際して、赤色ＬＥＤが駆動されたときに、表示装置１６にＬＥＤ調整エラー表示を行う場合のフローチャートである。図６のステップＳ２０１〜Ｓ２１６は、図４のステップステップＳ１０１〜Ｓ１１６はと同一である。図６のＳ２１７では、赤色ＬＥＤを駆動したとき、すなわち緑色ＬＥＤのみにより読取りに必要な光量を得ることができたとき（赤色ＬＥＤ点灯時間＝０）は、そのままモノクロモードでの読取りを終了するが、緑色ＬＥＤのみにより読取りに必要な光量を得ることができたとき（赤色ＬＥＤ点灯時間≠０）は、ＬＥＤ調整エラー表示を行い（Ｓ２１８）、この後に処理を終了する（Ｓ２１９）。
【００４７】
図７は、前回の緑色ＬＥＤの点灯時間の設定を、ＲＡＭ１２１２に記憶しておき、読取りをモノクロモードで行うときに、当該設定をＲＡＭ１２１２から呼び出す場合の処理を示すフローチャートである。
【００４８】
図７では、制御部１１は、モノクロモードでの読取りを開始すると（Ｓ３０１）、ＬＥＤ駆動回路１３６１は、スイッチ１３６２に制御信号を送出し、緑色ＬＥＤの電流制限抵抗をＲ３側にセットする（Ｓ３０２）。これにより、緑色ＬＥＤの駆動電流は、２０ｍＡにセットされる。
【００４９】
そして、ＬＥＤ駆動回路１３６１は、前回の緑色ＬＥＤの点灯時間をＲＡＭ１２１２から呼び出しこれを緑色ＬＥＤの点灯時間として設定し、赤色ＬＥＤの点灯時間を０％に設定する（Ｓ３０３）。そして、前述したステップＳ１０４〜Ｓ１０６と同様、緑色ＬＥＤのみを点灯させ（Ｓ３０４）、白圧板１３５の読取りを行い、１ラインの明出力最大値Ｖｍａｘを測定し（Ｓ３０５）、ＶｍａｘがＡ／Ｄ変換器１３６３のダイナミックレンジを越えるか否かのチェックを行う（Ｓ３０６）。そして、Ｖｍａｘが、Ａ／Ｄ変換器１３６３のダイナミックレンジを越えるときには、緑色ＬＥＤの点灯デューティを所定％刻み（ここでは、１０％刻み）で減少させ（Ｓ３０７）、Ｖｍａｘが、Ａ／Ｄ変換器のダイナミックレンジの８０％以上、１００％以下となるように、緑色ＬＥＤの調整を行う（Ｓ３０５〜Ｓ３０７）。Ｖｍａｘが上記８０％以上、１００％以下のレンジに収まったならば（Ｓ３０６の「ＹＥＳ」）、ステップＳ３０８の処理を実行する。ステップＳ３０８では、Ｖｍａｘが８０％以上か否かが判断されるが、ここでは、Ｖｍａｘの初期条件がＡ／Ｄ変換器１３６３のダイナミックレンジを超える場合であるので、処理はステップＳ３１５〜Ｓ１２０の処理に移行する。すなわち、まず、白圧板１３５の緑色ＬＥＤによる暗出力データおよび、シェーディングデータの採取が行われ（Ｓ３１５，Ｓ３１６）、この後原稿画像の読取りが行われる（Ｓ３１７）。
【００５０】
Ｓ３１８では、赤色ＬＥＤを駆動したとき、すなわち緑色ＬＥＤのみにより読取りに必要な光量を得ることができたとき（赤色ＬＥＤ点灯時間＝０）は、そのままモノクロモードでの読取りを終了するが、緑色ＬＥＤのみにより読取りに必要な光量を得ることができたとき（赤色ＬＥＤ点灯時間≠０）は、ＬＥＤ調整エラー表示を行い（Ｓ３１９）、この後に処理を終了する（Ｓ３２０）。
【００５１】
ステップＳ３０６において、最初から緑色ＬＥＤを点灯時間１００％で駆動しても、ＶｍａｘがＡ／Ｄ変換器１３６３のダイナミックレンジの最大値を超えないときは（Ｓ３０６の「ＹＥＳ」）、Ｖｍａｘがダイナミックレンジの８０％を越えているか否かをチェックし８０％を超えているときは（Ｓ３０８の「ＹＥＳ」）、ステップＳ３１４，Ｓ３１５の暗出力データおよびシェーディングデータの採取、およびＳ３１６の原稿画像の読取りが行われ、この後処理は終了する（Ｓ３１７）。
【００５２】
一方、緑色ＬＥＤの点灯時間を１００％にセットしても、Ｖｍａｘが８０％に達しないときは（Ｓ３０８の「ＮＯ」）、緑色点灯時間が１００％か否かをチェックする（Ｓ３０９）。Ｖｍａｘが８０％に達しておらず、かつ緑色点灯時間が１００％に満たないとき（Ｓ３０９の「ＮＯ」）は、緑色点灯時間を増加して、Ｖｍａｘが８０％となるように緑色点灯時間を１０％増加させ、処理をＳ３０６に戻す（Ｓ３１４）。一方、Ｖｍａｘが８０％に達しておらず、かつ緑色点灯時間が１００％であるときは、緑色ＬＥＤのみでは、読取りに必要な光量を得ることができないので、赤色ＬＥＤを、読取りクロックを１周期として駆動するとともに、所定時間（ここでは、点灯時間の５％）で緑色ＬＥＤと同時に点灯する。点灯デューティを所定％刻み（たとえば、５％刻み）で増化させながら、１ラインの明出力最大値ＶｍａｘがＡ／Ｄ変換器１３６３のダイナミックレンジの８０％以上になるように調整する（Ｓ３１０〜Ｓ３１３）。すなわち、赤色ＬＥＤの点灯時間が３０％以下か否かをチェックする（Ｓ３１０）。赤色ＬＥＤの点灯時間が３０％以下の場合には、赤色ＬＥＤを、所定時間（ここでは、点灯時間の５％）増加して（Ｓ３１１）、読取りクロックを１周期として当該点灯時間で緑色ＬＥＤと同時に点灯する（Ｓ３１２）。そして、１ラインの明出力最大値Ｖｍａｘの測定を行う（Ｓ３１３）。
【００５３】
赤色ＬＥＤは駆動電流が３０Ａに設定されており、点灯時間（あるいは点灯デューティ）は３３％を超えてはならない。このことから、点灯時間３０％で駆動してもＶｍａｘが８０％に達しないとき（すなわち、ここでの例では点灯時間が３５％に設定されたとき）は、ＬＥＤ調整エラーを通信制御部１６を介して所定の外部装置に通知し（Ｓ３１５）、この後モノクロモードでの処理を終了する（Ｓ３２０）。
【００５４】
【発明の効果】
モノクロモードでの原稿読取りに際して、当該読取りを行っている一の色発光素子の光量が低下し、所望の光量を得ることができない場合であっても、原稿の読取りを続行することができる。
【図面の簡単な説明】
【図１】（Ａ）は本発明の画像読取り装置の実施形態にかかるファクシミリ装置のシステム構成例を示す図、（Ｂ）は上記ファクシミリ装置の画像読取り部の機構を示す図である。
【図２】図１（Ｂ）に示す画像読取り部の回路を示す図である。
【図３】図２の画像読取り装置によるカラーモードでの読取り時の動作を示すフローチャートである。
【図４】図２の画像読取り装置によるモノクロモードでの読取り時の動作を示すフローチャートである。
【図５】本発明のモノクロモードでの緑色ＬＥＤおよび赤色ＬＥＤの点灯動作を示すタイミング図である。
【図６】図２の画像読取り装置において、モノクロモードでの読取りに際して、赤色ＬＥＤが駆動されたときに、表示装置にＬＥＤ調整エラー表示を行う場合のフローチャートである。
【図７】前回の緑色ＬＥＤの点灯時間の設定をＲＡＭ記憶しておき、読取りをモノクロモードで行うときに、当該設定をＲＡＭから呼び出す場合の処理を示すフローチャートである。
【図８】ＬＥＤの点灯デューティと順電流最大定格との関係を示す図である。
【図９】（Ａ）はカラーモードでの赤色，緑色，青色の各ＬＥＤの点灯動作を示すタイミング図、（Ｂ）は従来のモノクロモードでの緑色ＬＥＤの点灯動作を示すタイミング図である。
【図１０】従来のモノクロモードでの読取り時の動作を示すフローチャートである。
【符号の説明】
１  ファクシミリ装置
１１  制御部
１２  メモリ
１３  原稿画像像読取り部
１４  記録部
１５  操作表示部
１６  通信制御部
１７  圧縮伸張部
２１  ＬＥＤ駆動信号発生回路
２２  点灯デューティ比較回路
２３  点灯デューティ異常通知回路
２４  ＬＥＤ駆動停止回路
１００  システムバス
１２１  システムメモリ
１２２  画情報メモリ
１３１  給紙ローラ
１３２  原稿先端検知センサ
１３３  イメージセンサ
１３４  排紙ローラ
１３５  白圧板
１８１  点灯デューティ・電流最大定格テーブル
２００  原稿
１２１１  ＲＯＭ
１２１２  ＲＡＭ
１３３１  カラー光源部
１３３２  センサ基板
１３６１  ＬＥＤ駆動回路
１３６２  切換えスイッチ
１３６３  Ａ／Ｄ変換器
１３６４  画像処理部
１３６５  １ライン最大値検出部
１３６６  ＬＥＤ電源
【図１】
0003699047.tif 000002
【図２】
0003699047.tif 000003
【図３】
0003699047.tif 000004
【図４】
0003699047.tif 000005
【図５】
0003699047.tif 000006
【図６】
0003699047.tif 000007
【図７】
0003699047.tif 000008
【図８】
0003699047.tif 000009
【図９】
0003699047.tif 000010
【図１０】
0003699047.tif 000011